(57)【要約】【課題】作業員が目視で径、長さ、板厚、巻きピッチ、用途、製造者、製造年月日等を知ることができ、従って計測や調査の必要のない識別表示付き巻管と、そのような識別表示付き巻管を簡単に製造できる方法を提供する。【解決手段】本発明に係る巻管(5)は、螺旋状に巻かれた帯材(1)の隣り合う側縁部(2)同士が一体化されて形成され、該帯材の外面(3)に識別表示(4)が施されていることを特徴とする。また、本発明に係る、識別表示付き巻管(5)の製法は、帯材(1)をその長手方向へ移動させ、その移動工程中の手前側で該帯材に識別表示(4)を施し、次いで該帯材を回転芯金(21)に螺旋状にかつ該帯材の一側縁部(22)を隣り合う帯材(1)の他側縁部(23)と重合させて巻き付けながら隣り合う帯材(1,1)同士を一体化し、所望の軸長(L)で切断することを特徴とする。【選択図】図５
2007090364.tif 000002
【特許請求の範囲】
【請求項１】
螺旋状に巻かれた帯材(1)の隣り合う側縁部(2)同士が一体化されて形成され、該帯材(1)の外面(3)に識別表示(4)が施されていることを特徴とする識別表示付き巻管(5)。
【請求項２】
該識別表示(4)は該帯材(1)の長手方向の複数個となっている請求項１に記載の識別表示付き巻管(5)。
【請求項３】
該複数個は等間隔となっている請求項２に記載の識別表示付き巻管(5)。
【請求項４】
該識別表示(4)は実質上該帯材(1)の厚みの範囲内に収まっている請求項１、２又は３に記載の識別表示付き識別表示付き巻管(5)。
【請求項５】
該識別表示(4)は該帯材(1)の該外面(3)に付着している請求項１、２、３又は４に記載の識別表示付き巻管(5)。
【請求項６】
該識別表示(4)は立体型で、その一面(4a)は該帯材(1)の内面(6)と同水準でその他面(4b)は該外面(3)を越えた水準となっている請求項１、２又は３に記載の識別表示付き巻管(5)。
【請求項７】
帯材(1)をその長手方向へ移動させ、その移動工程中の手前側で該帯材(1)に識別表示(4)を施し、次いで該帯材(1)を回転芯金(21)に螺旋状にかつ該帯材(1)の一側縁部(22)を隣り合う帯材(1)の他側縁部(23)と重合させて巻き付けながら隣り合う帯材(1,1)同士を一体化し、所望の軸長(L)で切断することを特徴とする識別表示付き巻管(5)の製法。
【請求項８】
該識別表示(4)は該帯材(1)の螺旋巻回時に該回転芯金(21)と反対側の面となるべき外面(3)に施される請求項７に記載の識別表示付き巻管(5)の製法。
【請求項９】
該識別表示(4)は該外面(3)に対し内側の面となるべき内面(6)に押し型(7a,7b)で施され、該外面(3)水準を超えて突き出ている請求項８に記載の識別表示付き巻管(5)の製法。
【請求項１０】
該一体化は、該識別表示(4)を施した後に該帯材(1)の各側縁部(2)に１対の雄条(25)と雌条(26)を連続形成し、該雄雌条(25,26)を該帯材(1)の螺旋巻回時に係合させつつ該雄雌条(25,26)を圧扁してなされる請求項７に記載の識別表示付き巻管(5)の製法。
【発明の詳細な説明】
【技術分野】
【０００１】
本発明は、帯材を螺旋状に巻き、隣り合う帯材の側縁部同士をかしめるなどして一体化した巻管及びその巻管の製法に関する。
【背景技術】
【０００２】
多様な径の管材を、同一の原材料で製造できる等の利点を有することから、近年、プレストレストコンクリートのシース管等には、帯材を螺旋状に巻いて形成した巻管が使用されている。そして、この巻管には種々の径、長さ及び巻きピッチのものがあり、用途によってそれぞれ使い分けられている。しかしながら、これらの巻管自体には表示がないので、作業員がその都度寸法を測って必要とする巻管を使用するようにしている。
【０００３】
なお、この巻管については、従来の欠点を解決するための改良も試みられており、例えば、特開平０６−２１０３４５号には、帯材の接合部分に芯材を挿入し、その接合部分の水密性を高めた巻管成形方法及びその装置が開示されている。
【特許文献１】特開平０６−２１０３４５号公報
【発明の開示】
【発明が解決しようとする課題】
【０００４】
しかしながら、帯材を螺旋状に巻いて巻管を形成する場合、多様な径のものを同一の原材料で製造できる反面、完成品は全ての種類においてその形態が類似してしまい、視認による径の区別ができなくなるという問題点があった。そのため、巻管自体にその径、長さ、板厚、巻きピッチ及び用途等の表示がないと、作業員はその都度定規で測って選定する必要があった。そして、従来の改良には、この問題を解決するものが存在しなかった。
一方、製造者名、製造年月日等の表示があれば、巻管の出所等も知ることができて、便利である。
【０００５】
また、寸法差が僅かである非常に多種の巻管の中から正確に測定して所望の巻管を選定する作業は大変厄介で、熟練を必要とする。
【０００６】
そこで、本発明の目的は、作業員が目視で径、長さ、板厚、巻きピッチ、用途、製造者、製造年月日等を知ることができ、従って計測や調査の必要のない識別表示付き巻管を提供することにある。
【０００７】
また、そのような識別表示付き巻管を簡単に製造できる方法を提供することにある。
【課題を解決するための手段】
【０００８】
本発明に係る識別表示付き巻管は、螺旋状に巻かれた帯材の側縁部相互を一体化して形成され、該帯材の外面に識別表示が施されている。
【０００９】
帯材はその外面に識別表示が施されているので、作業員はこの識別表示の目視により、巻管に関する情報を知ることができ、定規で計測したりする手間が省ける。ここでいう外面とは、帯材を螺旋状に巻いた状態で巻管の外面に位置することを意味している。
帯材の素材は金属が一般的であるが、樹脂を用いてもよい。
【００１０】
識別表示の内容としては、巻管の内外径、長さ、板厚、巻きピッチ、用途、製造者名、製造年月日等があり、また識別表示の付与の仕方としては、刻印、インクインジェクション、手捺染等がある。この付与は帯板をロールから引き出した平板状態でなされ、帯板の連続移動に同調させて付与しても、また帯板を間欠的に移動させてその停止時に付与するようにしてもよい。帯板には、この付与後、巻管となった状態での曲げ抵抗を減ずるため、ローラーで連続的に凹条が形成される。
【００１１】
該識別表示は該帯材の長手方向の複数個となっていてもよい。
こうすると、長尺の巻管であっても何れかの識別表示が目視できることになるので、巻管の識別を容易に行える。
【００１２】
該複数個は等間隔となっていてもよい。
こうすると、識別表示間の巻管軸線上での寸法を予め定めておくことにより、更にはその寸法を表示しておくことにより、識別表示の数により巻管の長さの見当をつけることができる。
【００１３】
該識別表示は、実質上該帯材の厚みの範囲内に収まっていてもよい。
こうすると、帯材そのものの厚さが変わらず、強度を損なったりしない。
【００１４】
該識別表示は、該帯材の該外面に付着していてもよい。
こうすると、帯材そのものを加工しなくてよいので、識別表示の付与が簡単に行える。
【００１５】
該識別表示は、立体型で、その一面は該帯材の内面と同水準でその地面は該外面を越えた水準となっていてもよい。
こうすると、識別表示はその他面が帯材の外面を越えた水準にある立体的なので目視が容易となり、しかも識別表示の内側の面は帯材の内面と同水準で出張らず、緊張材の挿通には何らの支障もない。
【００１６】
本発明に係る識別表示付き巻管の製法は次の通りである。
帯材をその長手方向へ移動させる。その移動工程中の手前側で該帯材に識別表示を施す。次いで該帯材を回転芯金に螺旋状にかつ該帯材の一側縁部を隣り合う帯材の他側縁部と重合させて巻き付けながら隣り合う帯材同士を一体化する。そして、所望の軸長で切断する。
帯材の幅に応じて回転芯金に巻き付けるピッチが変わる。また識別表示の種類や表示の仕方も自由で、帯材同士の一体化も、巻管として供用時に受ける外部圧力によって離別しない程度の強度を保てればよい。
巻管としての全長は、螺旋管となって回転芯金から外方へ延出して行くときの切断時点の設定で、自由に定められる。
【００１７】
該識別表示は該帯材の螺旋巻回時に該回転芯金と反対側の面となるべき外面に施されてもよい。
こうすると、巻管を外観から見るだけで直ちに識別表示を認識できる。
【００１８】
該識別表示は該外面に対し内側の面となるべき内面に押し型で施され、該外面水準を越えて突き出ていてもよい。
こうすると、識別表示はその他面が帯材の外面を越えた水準にある立体的なので目視が容易となり、しかも識別表示の一面は帯材の内面と同水準で出張らず、緊張材の挿通には何らの支障もない。
【００１９】
該一体化は、該識別表示の施し後に該帯材の各側縁に雄条と雌条を連続形成し、該雄雌条を該帯材の螺旋巻回時に係合させつつ該雄雌条を圧扁してなされてもよい。
こうすると、隣り合う帯材同士の結合が強固かつ密接となり、巻管に外力が加わっても一体化された部分が離別するようなことがなくなる。
【発明の効果】
【００２０】
本発明に係る巻管によれば、螺旋状に巻かれた帯材の側縁部相互を一体化して形成され、該帯材の外面に識別表示が施されているので、作業員はこの識別表示の目視により、巻管に関する情報を知ることができ、定規で計測したりする手間が省ける。
【００２１】
請求項２によれば、該識別表示は該帯材の長手方向の複数個となっているので、長尺の巻管であっても何れかの識別表示が目視できることになり、巻管の識別を容易に行える。
【００２２】
請求項３によれば、該複数個は等間隔となっているので、識別表示間の巻管軸線上での寸法を予め定めておくことにより、更にはその寸法を表示しておくことにより、識別表示の数により巻管の長さの見当をつけることができる。
【００２３】
請求項４によれば、該識別表示は、実質上該帯材の厚みの範囲内に収まっているので、帯材そのものの厚さが変わらず、強度を損なったりしない。
【００２４】
請求項５によれば、該識別表示は、該帯材の該外面に付着しているので、帯材そのものを加工しなくてよく、識別表示の付与が簡単に行える。
【００２５】
請求項６によれば、該識別表示は、立体型で、その一面は該帯材の内面と同水準でその他面は該外面を越えた水準となっているので、識別表示はその他面が帯材の外面を越えた水準にある立体的で目視が容易となり、しかも識別表示の一面は帯材の内面と同水準で出張らず、緊張材の挿通には何らの支障もない。
【００２６】
請求項７の本発明に係る巻管の製法によれば、帯材をその長手方向へ移動させ、その移動工程中の手前側で該帯材に識別表示を施すので、帯材が平らな状態で識別表示を施すことになる。そのため、識別表示を容易にかつ明確に設けることができる。
【００２７】
請求項８によれば、該識別表示は該帯材の螺旋巻回時に該回転芯金と反対側の面となるべき外面に施されてるので、巻管を外観から見るだけで直ちに識別表示を認識できる。
【００２８】
請求項９によれば、該識別表示は該外面に対し内側の面となるべき内面に押し型で施され、該外面水準を越えて突き出ているので、識別表示はその他面が帯材の外面を越えた水準にある立体的で目視が容易となり、しかも識別表示の一面は帯材の内面と同水準で出張らず、緊張材の挿通には何らの支障もない。
【００２９】
請求項１０によれば、該一体化は、該識別表示の施し後に該帯材の各側縁に雄条と雌条を連続形成し、該雄雌条を該帯材の螺旋巻回時に係合させつつ該雄雌条を圧扁してなされてるので、隣り合う帯材同士の結合が強固かつ密接となり、巻管に外力が加わっても一体化された部分が離別するようなことがなくなる。
【発明を実施するための最良の形態】
【００３０】
図面は本発明に係る識別表示付き巻管及びその製法の具体例を示すもので、全図を通し、同一符号は同一若しくは相応部分を示す。
【００３１】
１は帯材で螺旋状に巻かれ、隣り合う側縁部２、２同士は一体化されている。この帯材１の外面３に識別表示４が施されている。
帯材１は金属薄板とするのが一般的であるが、樹脂製の薄板としてもよい。
【００３２】
識別表示４は巻管５に関する情報を作業員に伝えるためのもので、巻管５の内外径、長さ、板厚、巻ピッチ、用途、製造者名、製造年月日、適当な情報とすることができる。この識別表示４は、図５に示すように、巻き癖をとられた帯材１の、螺旋巻回時に外側の面となる外面３に施される。施すやり方としては、図２に示すようなシール６を貼付し、又はインク吹き付け、その他の適当なやり方でなされる。また１対の押し型７ａ、７ｂを用いた型押しとしてもよい。
【００３３】
この巻管５は、例えばプレストレストコンクリートの緊張材を通すシースに使用される。作業員は、多種の巻管５の中から、巻管５の外面３に施された識別表示４を見てその巻管５に関する諸情報を知り、使用場所に最適の巻管５を選択できる。
【００３４】
識別表示４は帯材１の長手方向の複数個となっている。
この場合、長尺の巻管５であっても何れかの識別表示４が目視できることになるので、巻管５の識別を容易に行える。
【００３５】
複数個は等間隔となっている。
この場合、識別表示４間の巻管５軸線Ｘ上での寸法Ｌ1を予め定めておくことにより、更にはその寸法を表示しておくことにより、識別表示４の数により巻管５の軸長Ｌの見当をつけることができる。
【００３６】
識別表示４は、実質上帯材１の厚みの範囲内に収まっている。
この場合、帯材１そのものの厚さが変わらず、強度を損なったりしない。
【００３７】
識別表示４は、帯材１の外面３に付着している。
この場合、帯材１そのものを加工しなくてよいので、識別表示４の付与が簡単に行える。
【００３８】
図３から図５で、識別表示４は立体型で、図４に示すように、その一面４ａは帯材１の内面８と同水準でその他面４ｂは外面３を越えた水準となっている。
この場合、識別表示４はその他面４ｂが帯材１の外面３を越えた水準にある立体的なので目視が容易となり、しかも識別表示４の内側の面は帯材１の内面８と同水準で出張らず、緊張材の挿通には何らの支障もない。
【００３９】
巻管５の両端の開口部９にキャップ１０が取外し自在に嵌合している。
【００４０】
この場合、巻管５の保管時に、巻管５の両端の開口部９はキャップ１０で覆われて帯材１の切り口１１が露出していないので、作業員が切り口１１で手や指を切ったりする恐れはない。使用時にはこのキャップ１０を外せばよい。
【００４１】
なお、巻管５の両端の切り口１１には、キャップ１０を嵌めるかわりに、図２に示すように、被覆１２を施してもよい。
【００４２】
この場合も、帯材１の切り口９が直接に作業員の手や指に触れることがなく、損傷を受けることがない。この被覆１０をつけたままでも巻管５は使用可能で、作業性も良好である。
【００４３】
本発明に係る識別表示４付き巻管５の製法を、図５を参照して、以下に説明する。
帯材１は巻枠に巻き取られているのが普通で、回転芯金２１に螺旋状に巻き付ける際、帯材１についた巻き癖をとるため、帯材１の進行方向とを直角に同一平面上に配した平行の複数のロールに一方から順次掛け垂らし、次のロールに巻き掛けて同様に垂らし、以下のこのような工程を繰り返しながら移動させる。この移動工程中の手前側、即ち帯材１が平坦な状態でこの帯材１に識別表示４を施す。図面は押し型７ａ、７ｂを用いた例を示してある。識別表示４が歪まず、正しく施せる。次いで成形ロール群の収まった成形用のケース２４を通過する間に帯材１の側縁部２に重合用の部分が成形される。その後、この帯材１を回転芯金２１に螺旋状にかつ帯材１の一側縁部２２を隣り合う帯材１の他側縁部２３と重合させて巻き付けながら隣り合う帯材１同士を一体化する。そして所望の軸長で切断すると識別表示４付きの巻管５が得られる。
【００４４】
帯材１の幅が大きい場合は回転芯金２１に巻き付けるピッチＰは大きくなり、反対に幅が小さい場合はピッチＰは小さくなる。識別表示４は刻印、押捺、転写、インク吹き付け、貼付け等、そのやり方は自由で、長期間表示を保ちたいときは刻印が望ましく、顕著性を保ちたいなら有色の押捺、転写等、表示の多様性が望みなら多種用意したシールの選択貼付けによりその希望に応えられる。
【００４５】
帯材１同士の一体化には接着、圧着、抱着等、適当なやり方が採用される。従来から行われている抱着が強度的に望ましい。
【００４６】
巻管５の軸長Ｌは自由に決められる。回転芯金２１に螺旋状に巻かれる帯材１は通常のように圧扁ロールや案内ロール（図示せず）等により、螺旋の成長により回転芯金２１の先端から外方へ次第に延出していく。従って、その延出した部分の長さを適当に定めて回転芯金２１の先端面２１’部分でカッター（図示せず）により切断すればよい。
【００４７】
識別表示４は帯材１の螺旋巻回時に回転芯金２１と反対側の面となるべき外面３に施されてもよい。
この場合、巻管５を外部から見るだけで直ちに識別表示４を認識できる。
【００４８】
識別表示４は外面３に対し内側の面となるべき内面８に押し型７ａ、７ｂで施され、外面３の水準を超えて突き出ている。
この場合、識別表示４はその他面４ｂが帯材１の外面３を越えた水準にある立体的なので目視が容易となり、しかも識別表示４の一面４ａは帯材１の内面８と同水準で出張らず、緊張材の挿通には何らの支障もない。
なお、図５に示す押し型７ａ、７ｂは進退動作によって相互に接離する形式のものとなっているが、この押し型の形式に制限はなく、例えば、接触する一対のローラーを利用した形式のものであってもよい。
【００４９】
一体化は、識別表示４の施し後に帯材１の各側縁にケース２４内で雄条２５と雌条２６を連続形成し、雄雌条２５、２６を帯材１の螺旋巻回時に係合させつつ雄雌条２５、２６を圧扁してなされている。
この場合、隣り合う帯材１同士の結合が強固かつ密接となり、巻管５に外力が加わっても一体化された部分が離別するようなことがなくなる。
【図面の簡単な説明】
【００５０】
【図１】本発明に係る識別表示付き巻管の具体例の正面図で、他端にキャップを被せたものである。
【図２】識別表示の一例で、シールに施したものの正面図である。
【図３】本発明に係る識別表示付き巻管の別の具体例で、識別表示が押し型によって形成されたものの具体例の一部切欠正面図で、端部に被覆を施したものである。
【図４】押し型によって形成された識別表示の一部切断斜面図である。
【図５】本発明に係る識別表示付き巻管の製法の具体例で示す図である。
【符号の説明】
【００５１】
１      帯材
２      側縁部
３      外面
４      識別表示
４ａ    一面
４ｂ    他面
５      巻管
６      シール
７      開口部
７ａ    押し型
７ｂ    押し型  
８      内面
９      開口部
１０    キャップ
１１    切り口
１２    被覆
Ｌ      軸長
２１    回転芯金
２１’  先端面
２２    一側縁部
２３    他側縁部
２４    ケース
２５    雄条
２６    雌条
【図１】
2007090364.tif 000003
【図２】
2007090364.tif 000004
【図３】
2007090364.tif 000005
【図４】
2007090364.tif 000006
【図５】
2007090364.tif 000007